(57)【特許請求の範囲】
【請求項１】
ガラスパネルと、金属フレームと、プラスチックフレームと、を備えてなるハウジングであって、
前記ガラスパネルは、前記金属フレーム内に収容され且つ前記金属フレームに隙間がないように固定され、
前記金属フレームは、少なくとも１つの貫通孔が設けられた本体部を備え、
前記プラスチックフレームは、外部フレーム及び前記外部フレームの内壁から延在されてなる補強部を備え、前記外部フレームは、前記ガラスパネル及び前記金属フレーム双方に直接的に結合され、前記補強部は前記貫通孔を貫通して前記ガラスパネルに結合されることを特徴とするハウジング。
【請求項２】
前記プラスチックフレームには、射出成形によって前記ガラスパネル及び前記金属フレームに一体成型されて、前記外部フレーム及び前記外部フレームの内壁に沿って囲んで閉鎖されたフレームを構成する前記補強部が形成されることを特徴とする請求項１に記載のハウジング。
【請求項３】
前記ガラスパネルは、第一表面と、前記第一表面の反対側にある第二表面と、前記第一表面及び前記第二表面を接続する側面と、を備え、前記側面には係合溝が設けられ、前記第一表面と前記側面とがなす角は鈍角であり、前記第二表面と前記側面とがなす角は鋭角であることを特徴とする請求項１または２に記載のハウジング。
【請求項４】
前記金属フレームは、前記本体部の一側から前記金属フレームの内部に向かって曲がってなる係合部をさらに備え、前記係合部は前記係合溝に係合することを特徴とする請求項３に記載のハウジング。
【請求項５】
ガラスパネルを金属フレームの内部に隙間がないように固定するステップと、
一体になった前記ガラスパネル及び前記金属フレームを射出成型金型内に位置決めしてから、前記射出成型金型内の前記金属フレームの側面に溶解されたプラスチック材料を射出してプラスチックフレームを形成するようにするステップであって、前記プラスチックフレームは、外部フレームを備え、前記外部フレームは、前記ガラスパネル及び前記金属フレーム双方に直接的に結合される、ステップと、
冷却して型を開けて、前記ガラスパネル、前記金属フレーム及び前記プラスチックフレームを緊密に結合してハウジングを形成するステップと、
を備えることを特徴とするハウジングの製造方法。
【請求項６】
前記ガラスパネルは、第一表面と、前記第一表面の反対側にある第二表面と、前記第一表面及び前記第二表面を接続する側面と、を備え、前記側面には係合溝が設けられ、前記第一表面と前記側面とがなす角は鈍角であり、前記第二表面と前記側面とがなす角は鋭角であることを特徴とする請求項５に記載のハウジングの製造方法。
【請求項７】
前記金属フレームは、閉鎖されたフレームである本体部及び前記本体部の一側から前記金属フレームの内部に向かって曲がってなる係合部を備え、前記係合部は前記係合溝に係合することを特徴とする請求項６に記載のハウジングの製造方法。
【請求項８】
前記プラスチックフレームは、前記外部フレームの内壁に沿って囲んで閉鎖されたフレームを構成する補強部を備え、
前記金属フレームの本体部には、少なくとも１つの貫通孔が設けられ、
前記ハウジングを形成するステップにおいて、前記金属フレームの側面で冷却された前記プラスチック材料は、前記プラスチックフレームの外部フレームを形成し、前記金属フレームの貫通孔を流れて冷却された前記プラスチック材料は、前記貫通孔を充填するとともに前記プラスチックフレームの補強部を形成することを特徴とする請求項５から７のいずれか一項に記載のハウジングの製造方法。
【発明の詳細な説明】
【技術分野】
【０００１】
本発明は、ハウジング及びその製造方法に関するものである。
【背景技術】
【０００２】
移動通信技術の発展に伴って、携帯電話のようないろいろな電子装置がつぎつぎに市販され、消費者は、移動通信技術がもたらす通信利便性を充分に享受することができる。ハウジングは、携帯電話のような電子装置の主要な部品として、その品質は消費者の注目を惹く要因となる。
【発明の概要】
【発明が解決しようとする課題】
【０００３】
しかし、従来の電子装置のハウジングにおいて、ガラスパネルの周縁を包囲するプラスチックフレームは使用過程で変形し易いので、ガラスパネルがプラスチックフレームから容易に離脱することがある。
【０００４】
本発明は、上記の問題点を解消するためのもので、ガラスパネル及びプラスチックフレームが緊密に結合されたハウジング及びその製造方法を提供することを目的とする。
【課題を解決するための手段】
【０００５】
上記の目的を達成するために、本発明に係るハウジングは、ガラスパネルと、金属フレームと、プラスチックフレームと、を備え、前記ガラスパネルは、前記金属フレーム内に収容され且つ前記金属フレームに隙間がないように固定され、前記金属フレームは、少なくとも１つの貫通孔が設けられた本体部を備え、前記プラスチックフレームは、外部フレーム及び前記外部フレームの内壁から延在されてなる補強部を備え、前記外部フレームは、前記ガラスパネル及び前記金属フレームに結合され、前記補強部は前記貫通孔を貫通して前記ガラスパネルに結合される。
【０００６】
また、上記の目的を達成するために、本発明に係るハウジングの製造方法は、ガラスパネルを金属フレームの内部に隙間がないように固定するステップと、一体になった前記ガラスパネル及び前記金属フレームを射出成型金型内に位置決めしてから、前記射出成型金型内の前記金属フレームの側面に溶解されたプラスチック材料を射出してプラスチックフレームを形成するようにするステップと、冷却して型を開けて、前記ガラスパネル、前記金属フレーム及び前記プラスチックフレームは緊密に結合してハウジングを形成するステップと、を備える。
【発明の効果】
【０００７】
本発明のハウジングにおいて、ガラスパネルは金属フレーム及びプラスチックフレームによって固定されるので、前記ガラスパネルは、前記金属フレーム及び前記プラスチックフレームから離脱せず、且つ前記ハウジングは射出成型金型によって一体成型されるので、粘着材料を塗布することを必要とせず、生産効率を高めることができる。
【図面の簡単な説明】
【０００８】
【図１】本発明の実施形態に係るハウジングの分解図である。
【図２】図１に示すハウジングのＡ部分の拡大図である。
【図３】本発明の実施形態に係るハウジングのプラスチックフレームを示す図である。
【図４】本発明の実施形態に係るハウジングを示す図である。
【図５】図４に示すハウジングのＢ−Ｂ線に沿う部分断面図である。
【発明を実施するための形態】
【０００９】
図１に示したように、本発明の実施形態に係るハウジング１００は、ガラスパネル１０と、金属フレーム２０と、プラスチックフレーム３０と、を備える。
【００１０】
前記ガラスパネル１０は、略矩形状であり、その寸法は前記金属フレーム２０の内径寸法と同じであるので、前記ガラスパネル１０を前記金属フレーム２０の内部に収容することができる。前記ガラスパネル１０は、第一表面１１と、前記第一表面１１の反対側に位置する第二表面１３と、前記第一表面１１及び前記第二表面１３を接続する側面１５と、を備える。図５を参照すると、前記側面１５と前記第一表面１１とがなす角は、鈍角であり、前記側面１５と前記第二表面１３とがなす角は、鋭角となっている。また、４つの前記側面１５には全て凹部が設けられ、４つの前記側面１５の凹部が連通されて閉鎖された略矩形状の係合溝１５１を形成する。なお、第二表面１３の外周は第一表面１１の外周よりも大きく形成されており、したがって、第一表面１１と第二表面１３とを接続する側面１５は、全体として第一表面１１から第二表面１３に向かうにしたがって外側に広がるようになる。すなわち、第一表面１１と側面１５との間の角度は鈍角であり、第二表面１３と側面１５との間の角度は鋭角である。
【００１１】
図１及び図２を参照すると、前記金属フレーム２０は、閉鎖された略矩形状のフレームであり、本体部２１及び係合部２３を備える。前記本体部２１には、複数の貫通孔２１１が長手方向において等間隔に設けられて、射出成型過程で溶解されたプラスチック材料が複数の前記貫通孔２１１を流れ、プラスチック材料が冷却されると複数の前記貫通孔２１１を充填する。前記係合部２３は、前記本体部２１の一側から前記金属フレーム２０の内部に向かって曲がってなる。図５を参照すると、前記金属フレーム２０の係合部２３は、前記ガラスパネル１０の係合溝１５１に係合して、前記ガラスパネル１０は前記金属フレーム２０の内部に緊密に固定される。本実施形態において、前記金属フレーム２０の材質は、ステンレスである。
【００１２】
図３及び図５を参照すると、前記プラスチックフレーム３０は、閉鎖された略矩形状の外部フレーム３１と、前記外部フレーム３１の内壁において内側に突出して形成され且つ前記外部フレーム３１の内壁に沿って囲んで閉鎖されたフレームを形成する補強部３３と、を備える。前記外部フレーム３１は、前記金属フレーム２０及び前記ガラスパネル１０を囲み、前記補強部３３は、前記金属フレーム２０の複数の貫通孔２１１を貫通して前記ガラスパネル１０の第二表面１３に結合される。本実施形態において、前記プラスチックフレーム３０は、プラスチック材料で射出成型方式によって形成される。
【００１３】
前記ガラスパネル１０、前記金属フレーム２０及び前記プラスチックフレーム３０は、他の形状であることができ、且つ前記金属フレーム２０及び前記プラスチックフレーム３０の形状は、前記ガラスパネル１０の形状変化によって変化することができる。例えば、前記ガラスパネル１０が円板状であると、前記金属フレーム２０及び前記プラスチックフレーム３０は円環状である。
【００１４】
本発明のハウジング１００の製造方法は、主に以下のステップを備える。
【００１５】
ステップ１では、前記金属フレーム２０の係合部２３を前記ガラスパネル１０の係合溝１５１に隙間がないように係合固定する。
【００１６】
ステップ２では、一体になった前記ガラスパネル１０及び前記金属フレーム２０を射出成型金型内に位置決めしてから、前記射出成型金型内の前記金属フレーム２０の側面に溶解されたプラスチック材料を射出して前記プラスチックフレーム３０を形成するようにする。
【００１７】
ステップ３では、冷却して型を開けて、前記ガラスパネル１０、前記金属フレーム２０及び前記プラスチックフレーム３０を緊密に結合して前記ハウジング１００を形成する（図４を参照）。
【００１８】
前記ガラスパネル１０、前記金属フレーム２０及び前記プラスチックフレーム３０は、射出成型金型内で一体成型されるので、それぞれの接続箇所には隙間がない。射出成型過程において、溶解されたプラスチック材料は前記金属フレーム２０の側面で冷却されると前記プラスチックフレーム３０の外部フレーム３１を形成するので、前記外部フレーム３１と前記金属フレーム２０の側面及び前記ガラスパネル１０の側面１５とが緊密に結合される。溶解されたプラスチック材料は、前記金属フレーム２０の複数の貫通孔２１１を流れ且つ冷却されると前記貫通孔２１１を充填するとともに前記プラスチックフレーム３０の補強部３３を形成し、前記補強部３３は前記ガラスパネル１０の第二表面１３に緊密に結合する。前記ガラスパネル１０の第一表面１１及び前記プラスチックフレーム３０の上表面は、同じ平面に位置する。
【００１９】
前記ハウジング１００のガラスパネル１０は、前記金属フレーム２０と前記プラスチックフレーム３０との間に挟まれて、前記ガラスパネル１０の第一表面１１に圧力を付与しても、前記ガラスパネル１０は前記プラスチックフレーム３０の補強部３３に制限されて移動せず、前記ガラスパネル１０の第二表面１３に圧力を付与しても、前記ガラスパネル１０は前記金属フレーム２０の係合部２３に制限されて移動せず、従って前記ガラスパネル１０は前記金属フレーム２０及び前記プラスチックフレーム３０から離脱しない。
【００２０】
前記ハウジング１００は、射出成型金型によって一体成型されるので、粘着材料を塗布することを必要とせず、生産効率を高めることができる。
【００２１】
以上、本発明の好適な実施形態について詳細に説明したが、本発明は前記実施形態に制限されるものではなく、本発明の範囲内で種々の変形又は修正が可能であり、該変形又は修正もまた、本発明の特許請求の範囲内に含まれるものであることは、いうまでもない。
【符号の説明】
【００２２】
１０  ガラスパネル
１１  第一表面
１３  第二表面
１５  側面
２０  金属フレーム
２１  本体部
２３  係合部
３０  プラスチックフレーム
３１  外部フレーム
３３  補強部
１００  ハウジング
１５１  係合溝
２１１  貫通孔
【図１】
0005978032.tif 000002
【図２】
0005978032.tif 000003
【図３】
0005978032.tif 000004
【図４】
0005978032.tif 000005
【図５】
0005978032.tif 000006